(57)【要約】  モジュール式空気冷却および分配システムは、ファンおよび熱交換器冷却モジュールまたはアセンブリを含む。冷却アセンブリは、流体対空気熱交換器および可変速ファンを含む。流体空気熱交換器中の流体は、プロピレングリコールまたは水である。熱交換器は、圧力損失を最小限にし、熱伝達を最大化する。冷却アセンブリの量は、屋内冷却要件に適合するように選択される。冷却アセンブリは、容易に共に組み立てられ、垂直に積層され、および／または水平に接続されて、冷却負荷に適合する。将来、さらなる冷却容量が必要な場合に、より多くの冷却アセンブリが容易に追加され得、冷却アセンブリは垂直および／または水平に拡張されてよい。ファンおよび熱交換器アセンブリのファンの速さは、風速計によって得られてよい流体温度および流体速度測定値に基づいて制御される。【選択図】図７
2020527800.tif 000002
【特許請求の範囲】
【請求項１】
建物の第１の天井と第２の天井との間に形成された天井プレナムと、
複数のサーバラックの複数の列によって形成された少なくとも１つのホットアイルの上に配置され、前記第１の天井の開口を通って伸びる封じ込めアセンブリであって、前記ホットアイルから前記天井プレナム中へ流体を導くように構成される、封じ込めアセンブリと、
前記ホットアイルまたは前記封じ込めアセンブリに流れる流体の速度を測定するように構成される流体速度センサと、
前記ホットアイルまたは前記封じ込めアセンブリに流れる前記流体の温度を測定するように構成される温度センサと、
少なくとも１つのファンおよび熱交換器アセンブリと、
前記測定された温度および速度に基づいて、前記少なくとも１つのファンおよび熱交換器アセンブリの少なくとも１つのファンの速さを調整するように構成される制御装置と、
を備える冷却システムであって、
前記少なくとも１つのファンおよび熱交換器アセンブリの少なくとも１つのファンは、前記天井プレナムから、前記少なくとも１つのファンおよび熱交換器アセンブリの少なくとも１つの熱交換器を通して、前記複数のサーバラックへ流体を流す、冷却システム。
【請求項２】
前記少なくとも１つのファンおよび熱交換器アセンブリが、複数のファンおよび熱交換器アセンブリの第１の列、ならびに前記複数のファンおよび熱交換器アセンブリの第１の列に隣接する複数のファンおよび熱交換器アセンブリの第２の列を含む、請求項１に記載の冷却システム。
【請求項３】
前記速度センサおよび前記温度センサが風速計によって実装される、請求項１に記載の冷却システム。
【請求項４】
冗長風速計をさらに備える、請求項１に記載の冷却システム。
【請求項５】
前記少なくとも１つのファンおよび熱交換器アセンブリが、前記建物の外部にありかつ前記建物の壁に隣接する屋外エンクロージャの内部に配置され、
前記少なくとも１つのファンが、前記壁の開口を通して前記複数のサーバラックへ流体を流す、請求項１に記載の冷却システム。
【請求項６】
前記建物の床とスラブとの間に形成された床プレナムと、
前記天井プレナムと前記床プレナムとの間で流体結合されたエアダクトと、
をさらに備え、
前記少なくとも１つのファンおよび熱交換器アセンブリが、前記エアダクト内に配置され、前記エアダクトを通して前記床プレナムへ、および前記床の開口を通して前記複数のサーバラックへ空気を流すように構成される、請求項１に記載の冷却システム。
【請求項７】
前記複数のサーバラックと前記少なくとも１つのファンおよび熱交換器アセンブリとの間で前記建物内に配置される内壁であって、前記第１の天井と接続し、前記第２の天井と前記内壁の頂部との間で内壁開口を形成するように前記建物の床から伸びる内壁をさらに備える、請求項１に記載の冷却システム。
【請求項８】
複数の熱交換器が前記内壁と複数のファンとの間に配置され、前記複数のファンは、前記複数のサーバラックから、前記内壁開口を通って、前記天井プレナムへ、封じ込めアセンブリを通って空気を流すように構成される、請求項７に記載の冷却システム。
【請求項９】
複数のファンが前記内壁と複数の熱交換器との間に配置され、前記複数のファンは、前記天井プレナムから、前記内壁開口を通って、前記ファンおよび熱交換器アセンブリを介して前記複数のサーバラックへ空気を流すように構成される、請求項７に記載の冷却システム。
【請求項１０】
前記少なくとも１つのファンおよび熱交換器アセンブリが、ファンおよび熱交換器アセンブリエンクロージャを含む、請求項１に記載の冷却システム。
【請求項１１】
建物内に配置され、複数のサーバラックの複数の列によって形成された少なくとも１つのホットアイルに隣接して配置される、第１の封じ込めアセンブリと、
前記第１の封じ込めアセンブリに流れる流体の速度を測定するように構成される流体速度センサと、
前記第１の封じ込めアセンブリに流れる前記流体の温度を測定するように構成される温度センサと、
前記建物の外部に配置される複数のファンおよび熱交換器アセンブリの第１の列と、
前記建物の外部に配置され、前記複数のファンおよび熱交換器アセンブリの第１の列に隣接して配置される、複数のファンおよび熱交換器アセンブリの第２の列と、
前記測定された温度および速度に基づいて、前記複数のファンおよび熱交換器アセンブリの第１および第２の列の複数のファンの速さを調整するように構成される制御装置と、
を備える冷却システムであって、
前記複数のファンおよび熱交換器アセンブリの複数のファンは、前記ホットアイルから、前記第１の封じ込めアセンブリを通って、前記複数のファンおよび熱交換器アセンブリの複数の熱交換器を通って、前記複数のサーバラックへ空気を流す、冷却システム。
【請求項１２】
前記第１の封じ込めアセンブリが、前記ホットアイルの側面と前記建物の外壁の少なくとも１つの開口との間に配置され、
前記複数のファンおよび熱交換器アセンブリの第１および第２の列が、前記外壁の少なくとも１つの開口を介して前記第１の封じ込めアセンブリと流体連通する、請求項１１に記載の冷却システム。
【請求項１３】
前記第１の封じ込めアセンブリが前記ホットアイルの上に配置される、請求項１１に記載の冷却システム。
【請求項１４】
前記第１の封じ込めアセンブリの上に配置される第２の封じ込めアセンブリをさらに備える、請求項１３に記載の冷却システム。
【請求項１５】
前記複数のファンおよび熱交換器アセンブリを収容するファンおよび熱交換器エンクロージャをさらに備える、請求項１１に記載の冷却システム。
【請求項１６】
建物内に配置され、複数のサーバラックの複数の列によって形成された少なくとも１つのホットアイルに隣接して配置される、第１の封じ込めアセンブリと、
前記封じ込めアセンブリに流れる流体の速度を測定するように構成される流体速度センサと、
前記封じ込めアセンブリに流れる前記流体の温度を測定するように構成される温度センサと、
前記複数のサーバラックの高さを超える高さで前記建物内に配置される、複数のファンおよび熱交換器アセンブリの第１および第２の列と、
前記測定された温度および速度に基づいて、前記複数のファンおよび熱交換器アセンブリの第１および第２の列の複数のファンの速さを調整するように構成される制御装置と
を備える冷却システムであって、
前記複数のファンおよび熱交換器アセンブリの複数のファンは、前記ホットアイルから、前記第１の封じ込めアセンブリを通って、前記複数のファンおよび熱交換器アセンブリの複数の熱交換器を通って、前記複数のサーバラックへ空気を流す、冷却システム。
【請求項１７】
前記第１の封じ込めアセンブリが、前記ホットアイルの側面に配置され、
前記ファンおよび熱交換器アセンブリが、前記第１の封じ込めアセンブリの上に配置されかつ前記第１の封じ込めアセンブリと流体連通する、
請求項１６に記載の冷却システム。
【請求項１８】
前記第１の封じ込めアセンブリの上に配置される第２の封じ込めアセンブリをさらに備え、
前記ファンおよび熱交換器アセンブリが、前記第２の封じ込めアセンブリと結合されかつ流体連通する、請求項１６に記載の冷却システム。
【請求項１９】
複数のサーバラックを冷却する方法であって、前記方法が、
複数のサーバラックの複数の列の間に画定された少なくとも１つのホットアイルの中または付近の流体温度を感知することと、
前記流体温度が所定の流体温度より高い場合、前記複数のサーバラック、前記ホットアイル、および熱交換器を通る流体を循環させる少なくとも１つのファンの速さを、所定の速さだけ上げることと、
前記流体温度が前記所定の流体温度より低い場合、流体速度を測定し、前記流体速度が所定の速度より大きいかどうかを判定することと、
前記測定された流体速度が前記所定の速度より大きい場合、前記ファンの速さを、別の所定の速さだけ下げることと、
を含む、方法。
【請求項２０】
前記流体温度および前記流体速度が、前記ホットアイルに隣接して配置される封じ込めアセンブリ内で測定される、請求項１９に記載の方法。
【請求項２１】
前記流体温度および前記流体速度が風速計で測定される、請求項１９に記載の方法。
【発明の詳細な説明】
【背景技術】
【０００１】
データセンタサーバラックは、大量の熱を発生させる多数の電子機器を収容する。その結果、電子機器を冷却するために大量の電力が必要とされる。大きい消費電力に寄与する因子は、冷却流体または空気がどのようにサーバラックに提供されるかである。
【発明の概要】
【０００２】
一態様では、本開示は、冷却システムを特徴とする。冷却システムは、建物の第１の天井と第２の天井との間に形成された天井プレナムと、サーバラックの列によって形成された少なくとも１つのホットアイルの上に配置され、第１の天井の開口を通って伸びる封じ込めアセンブリとを含む。封じ込めアセンブリは、ホットアイルから天井プレナム中へ流体を導く。冷却システムは、ホットアイルまたは封じ込めアセンブリに流れる流体の速度を測定する流体速度センサと、ホットアイルまたは封じ込めアセンブリに流れる流体の温度を測定する温度センサとを含む。冷却システムは、少なくとも１つのファンおよび熱交換器アセンブリと、測定された温度および速度に基づいて、少なくとも１つのファンおよび熱交換器アセンブリの少なくとも１つのファンの速さを調整する制御装置と、を含む。少なくとも１つのファンおよび熱交換器アセンブリの少なくとも１つのファンは、天井プレナムから、少なくとも１つのファンおよび熱交換器アセンブリの少なくとも１つの熱交換器を通して、複数のサーバラックへ流体を流す。
【０００３】
態様では、少なくとも１つのファンおよび熱交換器アセンブリは、ファンおよび熱交換器アセンブリの第１の列、ならびにファンおよび熱交換器アセンブリの第１の列に隣接するファンおよび熱交換器アセンブリの第２の列を含む。
【０００４】
態様では、速度センサおよび温度センサは風速計によって実装される。
【０００５】
態様では、冷却システムは、冗長風速計を含む。
【０００６】
態様では、少なくとも１つのファンおよび熱交換器アセンブリは、建物の外部にありかつ建物の壁に隣接する屋外エンクロージャの内部に配置され、少なくとも１つのファンは、壁の開口を通してサーバラックへ流体を流す。
【０００７】
態様では、冷却システムは、建物の床とスラブとの間に形成された床プレナムと、天井プレナムと床プレナムとの間で流体結合されたエアダクトとを含む。少なくとも１つのファンおよび熱交換器アセンブリはエアダクト内に配置され、エアダクトを通して床プレナムへ、および床の開口を通してサーバラックへ空気を流す。
【０００８】
態様では、冷却システムは、サーバラックと少なくとも１つのファンおよび熱交換器アセンブリとの間で建物内に配置される内壁であって、第１の天井と接続し、第２の天井と内壁の頂部との間で内壁開口を形成するように建物の床から伸びる内壁を含む。
【０００９】
態様では、熱交換器は内壁とファンとの間に配置され、ファンは、サーバラックから、内壁開口を通って、天井プレナムへ、封じ込めアセンブリを通って空気を流すように構成される。
【００１０】
態様では、ファンは内壁と熱交換器との間に配置され、ファンは、天井プレナムから、内壁開口を通って、ファンおよび熱交換器アセンブリを介してサーバラックへ空気を流す。
【００１１】
態様では、少なくとも１つのファンおよび熱交換器アセンブリは、ファンおよび熱交換器アセンブリエンクロージャを含む。
【００１２】
さらに別の態様では、本開示は、別の冷却システムを特徴とする。冷却システムは、建物内に配置され、サーバラックの列によって形成された少なくとも１つのホットアイルに隣接して配置される、第１の封じ込めアセンブリと、第１の封じ込めアセンブリに流れる流体の速度を測定する流体速度センサと、第１の封じ込めアセンブリに流れる流体の温度を測定する温度センサと、建物の外部に配置されるファンおよび熱交換器アセンブリの第１の列と、建物の外部に配置され、ファンおよび熱交換器アセンブリの第１の列に隣接して配置される、ファンおよび熱交換器アセンブリの第２の列と、測定された温度および速度に基づいて、ファンおよび熱交換器アセンブリの第１および第２の列のファンの速さを調整する制御装置と、を含む。ファンおよび熱交換器アセンブリのファンは、ホットアイルから、第１の封じ込めアセンブリを通って、ファンおよび熱交換器アセンブリの熱交換器を通って、サーバラックへ空気を流す。
【００１３】
態様では、第１の封じ込めアセンブリは、ホットアイルの側面と建物の外壁の少なくとも１つの開口との間に配置され、ファンおよび熱交換器アセンブリの第１および第２の列は、外壁の少なくとも１つの開口を介して第１の封じ込めアセンブリと流体連通する。
【００１４】
態様では、第１の封じ込めアセンブリはホットアイルの上に配置される。
【００１５】
態様では、冷却システムは、第１の封じ込めアセンブリの上に配置される第２の封じ込めアセンブリを含む。
【００１６】
態様では、冷却システムは、ファンおよび熱交換器アセンブリを収容するファンおよび熱交換器エンクロージャを含む。
【００１７】
さらに別の態様では、本開示は、さらに別の冷却システムを特徴とする。冷却システムは、建物内に配置され、サーバラックの列によって形成された少なくとも１つのホットアイルに隣接して配置される、第１の封じ込めアセンブリと、封じ込めアセンブリに流れる流体の速度を測定する流体速度センサと、封じ込めアセンブリに流れる流体の温度を測定する温度センサと、サーバラックの高さを超える高さで建物内に配置される、ファンおよび熱交換器アセンブリの第１および第２の列と、測定された温度および速度に基づいて、ファンおよび熱交換器アセンブリの第１および第２の列のファンの速さを調整する制御装置とを含む。ファンおよび熱交換器アセンブリのファンは、ホットアイルから、第１の封じ込めアセンブリを通って、ファンおよび熱交換器アセンブリの熱交換器を通って、サーバラックへ空気を流す。
【００１８】
態様では、第１の封じ込めアセンブリはホットアイルの側面に配置され、ファンおよび熱交換器アセンブリは、第１の封じ込めアセンブリの上に配置されかつ第１の封じ込めアセンブリと流体連通する。
【００１９】
態様では、冷却システムは、第１の封じ込めアセンブリの上に配置される第２の封じ込めアセンブリを含み、ファンおよび熱交換器アセンブリは、第２の封じ込めアセンブリと結合されかつ流体連通する。
【００２０】
さらに別の態様では、本開示は、サーバラックを冷却する方法を特徴とする。方法は、サーバラックの列の間に画定された少なくとも１つのホットアイルの中または付近の流体温度を感知することと、流体温度が所定の流体温度より高い場合、サーバラック、ホットアイル、および熱交換器を通る流体を循環させる少なくとも１つのファンの速さを、所定の速さで上げることと、流体温度が所定の流体温度より低い場合、流体速度を測定し、流体速度が所定の速度より大きいかどうかを判定することと、測定された流体速度が所定の速度より大きい場合、ファンの速さを、別の所定の速さで下げることとを含む。
【００２１】
態様では、流体温度および流体速度は、ホットアイルに隣接して配置される封じ込めアセンブリ内で測定される。
【００２２】
態様では、流体温度および流体速度は風速計で測定される。
【００２３】
本開示の１つまたは複数の態様は、本明細書の終わりに特許請求の範囲の例として具体的に指摘され、明確に主張されている。本開示の前述および他の目的、特徴、および利点は、以下のそのいくつかの実施形態の詳細な説明を、添付の図面と併せて参照することにより、当業者によってより容易に理解され得、いくつかの図を通して、類似の要素は同一の参照番号で指定される。
【図面の簡単な説明】
【００２４】
【図１】本開示の実施形態による、比較的低い天井高を有するデータセンタアセンブリの立面図である。
【図２】断面Ａ−Ａに沿って取られた図１の冷却アセンブリの正面断面図である。
【図３】別の実施形態による、床下冷気分配を有するデータセンタアセンブリの立面図である。
【図４】本開示のさらに別の実施形態による、比較的高い天井を有するデータセンタアセンブリの立面図である。
【図５】本開示のさらに別の実施形態による、温かい頭上の還気を冷たい給気から分離するために垂直バッフルが使用されるデータセンタアセンブリの立面図である。
【図６】本開示のさらに別の実施形態による、ホットアイルからの空気が地盤レベルの冷却モジュール中に引かれているのを示す、データセンタアセンブリの立面図である。
【図７】本開示のさらに別の実施形態による、サーバラックの正面に冷気が吹き出す技術を示す、データセンタアセンブリの立面図である。
【図８】本開示のさらに別の実施形態による、頭上に取り付けられた冷却モジュールを有するデータセンタアセンブリの立面図である。
【図９】本開示のさらに別の実施形態による、冷却モジュールが床レベルより高い位置にあるデータセンタアセンブリの立面図である。
【図１０】本開示のさらに別の実施形態による、冷却モジュールまたはアセンブリが床レベルより高い位置にあるデータセンタアセンブリの立面図である。
【図１１】本開示の実施形態による、複数のファンおよび熱交換器モジュールを有するファンおよび熱交換器アセンブリの立面図である。
【図１２】本開示の実施形態による、複数のファンおよび熱交換器モジュールを有するファンおよび熱交換器アセンブリの正面図である。
【図１３】本開示の実施形態による、「スタータ」エンクロージャアセンブリの斜視図である。
【図１４】本開示の実施形態による、「追加」エンクロージャアセンブリの斜視図である。
【図１５】本開示の実施形態による、ファンおよび熱交換器アセンブリの分解図である。
【図１６】本開示の実施形態による、ファンおよび熱交換器アセンブリのファンを制御する方法例を示す流れ図である。
【図１７】本開示の実施形態による、風速計モジュールの分解図である。
【図１８】封じ込めアセンブリの壁上に設置された図１７の風速計モジュールの側面図である。
【発明を実施するための形態】
【００２５】
図は、例示のみを目的として本開示の実施形態を示す。以下の説明から、本明細書で説明された構造および方法の代替の実施形態が、本明細書に記載された本開示の原理から逸脱することなく採用され得ることを、当業者は容易に認識するであろう。
【００２６】
詳細な説明
本開示のモジュール式空気冷却および分配システムは、高い柔軟性、スケーラビリティ、設置の容易さ、およびデータセンタのような広い、開放的な、屋内領域の冷却のためのエネルギー消費の低減を可能にする。基本的なファン／熱交換器モジュール式アセンブリの組み合わせは、所与の建物の全体設計に最もよく適応するように、様々な方法で構成されてよい。
【００２７】
本開示の実施形態は、サーバラックからの熱気を熱交換器へ導く、設置が容易であり、低コスト、低空気圧損失、モジュール式の空気冷却および分配システムに関する。熱気は、その後、液体、例えば冷媒または冷水によって冷却され、冷気は、データセンタの開放空間に吐き出されて戻る。実施形態では、サーバからの高温空気は、熱交換器の吸い込み口までずっと、天井またはホットアイル封じ込めおよび（必要な場合）短いダクトを使用することによって、冷却用空気から分離される。熱気を隔離された状態に保つことによって、より高温の熱を遮断でき、したがって、より「自由な」冷却、より低い液体流量、およびより高いエネルギー効率につながる。熱交換器は、その内容全体が参照により本明細書に組み込まれる仮特許出願第６２／３８０，０３９号に開示されているような、低空気圧損失の多列扁平アルミニウム管熱交換器である。この因子は、封じ込め／天井／プレナムを通して低空気圧損失と組み合わされ、低い全圧力損失およびファン電力をもたらす。解析は、いくつかの実施形態が、データセンタにわたって均一な空気温度分布を有することを示す。
【００２８】
本開示は用語「空気」を使用するが、本開示の実施形態によれば、空気の代わりに気体状態の他の流体が使用されてよい。
【００２９】
図１〜図１０は、ファンおよび熱交換器アセンブリならびに気流の配置が所与の建物の構造の詳細に合わせて適用され得る、様々な実施形態を示す。
【００３０】
図１は、比較的低い高さを有する下部天井１０２を有する実施形態を示す。冷却ユニットまたはモジュール１０４は外部に位置し、いかなる屋内床面積も必要としない。屋外冷却モジュールアセンブリ１０４は、工場で組み立てられてよく、モジュール式スラブの上に取り付けられてよい。冷却モジュールまたはアセンブリ１０４は、耐候性エンクロージャ内に配置されてよい。封じ込めアセンブリ１０８はサーバラック１１０に結合されてホットアイルを封じ込める。天井プレナム１１２は、下部天井１０２と上部天井１０３との間に画定されてよい。あるいは、上部天井１０３は取り除かれてよく、天井プレナム１１２は、下部天井１０２と勾配屋根１０５との間に画定されてよい。天井プレナム１１２は、還気１１４を冷却モジュールまたはアセンブリ１０４に供給するように構成される。
【００３１】
冗長風速計１５０は、封じ込めアセンブリ１０８を通って流れる空気の温度および／または速度を測定するように、封じ込めアセンブリ１０８に結合される。他の実施形態では、別のタイプの流体速度センサおよび流体温度センサが、冗長風速計１５０の代わりに使用されてよい。例えば、流体温度センサは、封じ込めアセンブリ１０８中の流体の流れにより、パドルが機械的スイッチを前後に動かし、その結果、流体の流れの方向を感知するように、機械的スイッチに取り付けられたパドルに置き換えられてよい。流体の流れ方向は、あるいは、当該技術分野で知られている任意の他の流体流れ方向センサによって測定されてよい。流体速度センサは、任意の好適な低速型センサであってよい。
【００３２】
温度および／または速度測定値は、ファンおよび熱交換器アセンブリの１つまたは複数のファンの速さを制御するために使用される。例えば、流体の速度および温度測定値は、ホットアイルとコールドアイルとの間の流体の漏れ率を示し、ファンおよび熱交換器アセンブリのファンの速さを調節して封じ込めアセンブリ内部の圧力を中和するために使用されてよい。実施形態では、風速計１５０は、空気の温度および速度の両方を同時に感知できる熱線風速計であってよい。
【００３３】
実施形態では、制御システムは、温度設定値および速度設定値を使用してよい。例えば、温度設定値は、以下の方程式にしたがって計算されてよい：
温度設定値＝ホットアイル温度−（（ホットアイル温度−コールドアイル温度）／３）
温度設定値は、ファンおよび熱交換器アセンブリのファンに加速または減速を命令するために使用される。速度設定値は、ファンの速さを微調整して空気漏れを最小限にするために使用されてよい。例えば、速度設定値は、ファンの速さを減速させるために使用されてよい。
【００３４】
制御システムは、手動モードおよび自動モードで動作してよい。手動モードでは、ファンは、自動設定に優先する固定の速さに設定される。例えば、初期速度設定値は、所定の速度、例えば、１５０ｆｔ／分に設定されてよい。自動モードでは、低負荷が適用される場合、制御システムは、まず、ホットアイルおよびコールドアイル設定温度が、例えば所定の温度、例えば５°Ｆより低いかどうかを判定してよい。ホットアイルおよびコールドアイル設定温度が５°Ｆより低い場合、ファンの速さは、所定の最低の速さでありうる最低の速さで維持される。計算された総ＩＴ負荷を動作中のファンおよび熱交換器アセンブリの総数で除したものが所定の割合（例えば３０％）より小さい場合、またはファンおよび熱交換器アセンブリの吸い込み温度と吐き出し温度との間の温度差が所定の温度（例えば１０°Ｆ）より小さい場合、ファンの速さは、以下の方程式例にしたがって計算されてよい：
【数１】
2020527800.tif 000003
【００３５】
計算された総ＩＴ負荷を動作中のファンおよび熱交換器アセンブリの総数で除したものが所定の割合（例えば３０％）より大きい場合、ならびにファンおよび熱交換器アセンブリの吸い込み温度と吐き出し温度との間の温度差が所定の温度（例えば１０°Ｆ）より大きい場合、ファンの全速率は、以下のように決定されてよい。風速計からの読み取りが、温度設定値（例えば１０°Ｆ）より高い場合、ファンの速さは、所定の毎分回転数（ＲＰＭ）（例えば１００ＲＰＭ）だけ上げられる。ファンの速さは、感知温度が温度設定値より低くなるまで上がり続ける。風速計からの温度の読み取りが温度設定値より低く、風速計からの速度の読み取りが速度設定値（例えば１５０ｆｔ／分）より大きい場合、ファンの速さは下げられる（例えば、ファンの速さは１００ＲＰＭだけ下げられるか、または風速計の読み取りに基づいて、速度を制御するためのＰＩＤ制御装置が適用される）。
【００３６】
風速計からの温度の読み取りが温度設定値より低く、風速計からの速度の読み取りが、例えば現場の条件に依存し得る速度設定値（例えば、７５ｆｔ／分または１５０ｆｔ／分）より小さい場合、ファンの速さは変更されない。いくつかの実施形態では、温度または速度のいずれかについて風速計測定値が不安定な場合、制御装置は、瞬時測定の代わりに、時間平均測定（例えば、３〜５秒にわたる）を適用してよい。
【００３７】
図２は、一実施形態例による、断面Ａ−Ａに沿って取られた、任意選択のモジュール式空気壁部の断面図である。モジュール式空気壁部は、縦に２つおよび横に６つ配置された、１２のファンおよび熱交換器モジュールまたはアセンブリに対応する１２のガードまたはルーバー部２０２を含む。言い換えれば、ガードまたはルーバー部２０２は、６つのファンおよび熱交換器アセンブリを各々有する、２列のファンおよび熱交換器アセンブリに対応する。実施形態では、データセンタの容量要件および／または構成に依存して、任意の数の列のファンおよび熱交換器アセンブリがあってよい。例えば、３列のファンおよび熱交換器アセンブリがあってよく、または７列のファンおよび熱交換器アセンブリがあってよい。ガードまたはルーバー部２０２の各々は、流体の流れを導く、または角度をつけて流体を拡散させるための流体デフレクタを含んでよい。流体デフレクタの角度は調節可能であり得る。
【００３８】
機械および電気チェース２０４は、ガードまたはルーバー部２０２の間に配置され、ファンおよび熱交換器アセンブリのファンおよび／または熱交換器の間に配置されてよい。壁開口部または開口２０６は、還気導管２０８およびガードまたはルーバー部２０２を受けるために形成される。実施形態では、還気導管２０８は、プレナム室１０６に入る単一または共通の還気導管に組み合わされてよい。モジュール式空気壁部は、さらなる冷却容量が必要な場合に、天井プレナム１１２からプレナム室１０６中へより多くの還気を運ぶためのさらなる流体ダクトを受けるために取り外されてよい、取り外し可能な還気パネル２０８も含む。
【００３９】
図３は、床下冷気分配を有するデータセンタアセンブリ例の実施形態を示す。還気２１４は、天井３０２と屋根３０３との間の天井プレナム３１２を通り、金網スクリーン３３０を有するファンおよび熱交換器アセンブリを通り、スラブ３２２と穴あき床タイル３２４との間に形成された体積を通り、その後サーバラック２１０を通って循環する。
【００４０】
図４は、多層の建物の別の床に対応してよい、比較的高い天井４０３を有するコールドアイル封じ込め構成のデータセンタアセンブリ例の実施形態を示す。実施形態では、高い天井４０３は、コンクリートのＴ形梁で形成され、天井プレナム４１２の一部を形成する。実施形態では、高い天井４０３は、高い天井４０３が低い天井４０２により近づくように構築されてよい。垂直バッフル４３１は、温かい還気４１４を冷たい給気４１３から分離する。ファン吐き出し気流は反転し、冷気４１３は、サーバラック２１０によって形成されたコールドアイルを包含する封じ込めアセンブリ４０８を介して、サーバラック２１０の正面に分配される。また、温かい空気４１４は、ファンおよび熱交換器アセンブリのファンによって、サーバラック２１０の１つまたは複数のホットアイルから引き抜かれる。制御モジュール４３２および電力モジュール４３４は、封じ込めアセンブリ４０８に流れる流体と流体連通する風速計１５０ならびにファンおよび熱交換器アセンブリに結合されて、封じ込めアセンブリ４０８ならびにファンおよび熱交換器アセンブリに制御信号および電力をそれぞれ提供し、例えば、ファンおよび熱交換器アセンブリの可変速ファンの速さを制御する制御信号を提供する。制御モジュール４３１は、任意の好適な制御装置によって実装されてよく、流体温度および速度測定値を使用する方法を含む本明細書に開示される方法を実行するための、プロセッサおよびメモリを含んでよい。
【００４１】
図５は、温かい頭上の還気５１４を冷たい給気５１３から分離するために垂直バッフル４３１が使用されるホットアイル封じ込め構成のデータセンタアセンブリ例の実施形態を示す。ファン吐き出し気流（冷たい給気５１３）の方向は、図４のファン吐き出し気流（温かい還気４１４）の方向と逆である。ファンおよび熱交換器アセンブリのファンは、冷たい給気５１３をサーバラック２１０の正面に分配する。また、温かい還気５１４は、封じ込めアセンブリ５０８から流出する。
【００４２】
図６は、サーバラック２１０のホットアイルからの温かい還気４１４が、地盤レベルの屋外ファンおよび熱交換器アセンブリ中に引き込まれる冷却システムの実施形態を示す。冷たい給気４１３は、頭上からサーバラック２１０の正面に供給される。サーバラック２１０間の１つまたは複数のホットアイルは、サーバラック２１０の高さまたは頂部で覆いによって囲まれ、熱気封じ込めアセンブリ６０８は、サーバラック２１０の最も右のサーバラックと建物または施設の壁またはパネル６３２との間に配置される。熱気封じ込めアセンブリ６０８は、外部ファンおよび熱交換器アセンブリと気流連通する。
【００４３】
図７は、冷たい給気７１３が、サーバラック２１０の正面に吹き出す冷却システムの実施形態を示す。頭上のホットアイル封じ込めアセンブリは、サーバラック２１０からファンおよび熱交換器アセンブリ７２０の吸い込み口へ温かい還気７１４を引くために使用される。
【００４４】
図８は、頭上に取り付けられたファンおよび熱交換器アセンブリ８２０ａ、８２０ｂを有する冷却システムの実施形態を示す。図８の冷却システムは、第１の空気封じ込めアセンブリ８０７および第１の空気封じ込めアセンブリ８０７の上に配置される第２の空気封じ込めアセンブリ８０８を含む。ファンおよび熱交換器アセンブリ８２０ａ、８２０ｂは、第２の空気封じ込めアセンブリ８０８の最も右の部分の下側に、階段状の構成で結合され、第２の空気封じ込めアセンブリ８０８と気流連通する。ファンおよび熱交換器アセンブリ８２０ａ、８２０ｂの熱交換器は、水冷システムから冷水を受け取りかつ水冷システムへ冷水を戻すために冷水供給および戻り配管８４０に結合される。ファンおよび熱交換器アセンブリ８２０ａ、８２０ｂは、ファンおよび熱交換器アセンブリ８２０ａ、８２０ｂに電力および制御信号をそれぞれ供給する電源モジュール４３４および制御モジュール４３２に結合される。
【００４５】
図９は、ファンおよび熱交換器アセンブリ９２０が、床９５０のレベルより高い位置にある別の実施形態を示す。温かい還気は、床９５０のレベルでサーバラック２１０によって形成されたホットアイルから引かれ、冷たい給気９１３は、上から下へ、サーバラック２１０の正面に分配される。封じ込めアセンブリ９０８は、最も右のサーバラック９１０、ならびにファンおよび熱交換器アセンブリ９２０の下側に結合される。この構成では、ファンおよび熱交換器アセンブリは、サーバラック２１０のホットアイルから封じ込めアセンブリ９０８を通して温かい空気９１４を引く。
【００４６】
図１０は、ファンおよび熱交換器アセンブリ９２０がまた、床９５０のレベルより高い位置にある冷却システムの別の実施形態を示す。冷却システムは、第１の空気封じ込めアセンブリ１００７および第１の空気封じ込めアセンブリ１００７の頂部に結合され、第１の空気封じ込めアセンブリ１００７と気流連通する第２の空気封じ込めアセンブリ１００８を含む。ファンおよび熱交換器アセンブリ９２０は、第２の空気封じ込めアセンブリ１００８の最も右の部分１００９の下側に結合され、第２の空気封じ込めアセンブリ１００８と気流連通する。ファンおよび熱交換器アセンブリ９２０の熱交換器は、水冷システムから冷却水を運びかつ水冷システムへ水を戻す、冷水供給および戻り配管に結合される。ファンおよび熱交換器モジュールのファンは、ファンに電力および制御信号を供給する、電源および制御モジュールに結合される。温かい還気は、第２の空気封じ込め構造から頭上プレナム中へ引かれ、サーバラックの正面周辺に吹き出す。
【００４７】
図１１および図１２はそれぞれ、組み立てられてより大きいファンおよび熱交換器アセンブリを形成するファンおよび熱交換器モジュールまたはアセンブリの例を示す、側面図および正面図である。実施形態では、２つ、３つ、または４つのファンおよび熱交換機アセンブリが積層されて、積層ファンおよび熱交換器アセンブリ１１０２、１１０４、および１１０６をそれぞれ形成してよい。実施形態では、任意の数の積層ファンおよび熱交換器アセンブリ１１０２、１１０４、および１１０６が、隣り合って接続されてよく、例えば、６つのスタックが隣り合って接続されてよい。
【００４８】
図１３は、「スタータエンクロージャアセンブリ」例１３０２を示し、例えば、横に１つのファンおよび熱交換器モジュールならびに縦に２つのファンおよび熱交換器モジュールであってよい。スタータエンクロージャアセンブリ１３０２は、左壁パネル１３０４、右壁パネル１３０６、後壁パネル１３０８、および屋根パネル１３１０を含む。左壁パネル１３０４および右壁パネル１３０６は、積層ファンおよび熱交換器モジュールまたはアセンブリにアクセスするためのアクセスドア１３０８を含んでよい。
【００４９】
図１４は、「追加エンクロージャアセンブリ」例１４０２を示し、例えば、横に１つのファンおよび熱交換器モジュールならびに縦に２つのファンおよび熱交換器モジュールであってよい。追加エンクロージャアセンブリ１４０２は、左壁パネル１３０４、後壁パネル１３０８、および屋根パネル１３１０を含み、図１３のスタータエンクロージャアセンブリ１３０２に追加されてよい。
【００５０】
図１５は、スタータアセンブリ１３０２、追加アセンブリ１４０２、ならびにスタータエンクロージャアセンブリ１３０２および追加エンクロージャアセンブリ１４０２に収容された積層ファンおよび熱交換器モジュールまたはアセンブリの組み立てを示す分解図である。積層ファンおよび熱交換器アセンブリ１５０１は、ファンガード１５０２（例えば、３つのファンガード）、可変速ファン１５０４（例えば、３つの可変速ファン）、ファンハウジング１５０６（例えば、互いに結合されるように構成される３つのファンハウジング）、ならびに熱交換器１５０８（例えば、互いに結合されるように構成される３つの熱交換器）を含む。エンクロージャアセンブリ１３０２、１４０２ならびに積層ファンおよび熱交換器アセンブリ１５０１は、部分的に組み立てられたキットとして出荷されてよい。その後、最終組み立てが、現地で行われてよい。
【００５１】
ファンの速さは、ホットアイル封じ込め領域またはアセンブリからのある一定の空気流量を保証するために、熱線風速計によって、サーバ気流に適合するように制御されてよい。図１６は、実施形態による、ファンおよび熱交換器アセンブリのファンを制御する方法例を示す流れ図である。ブロック１６０２で、風速計から温度が読み取られる。その後、ブロック１６０４で、温度が所定の温度、例えば８０°Ｆより高いかどうかが判定される。温度が所定の温度より高い場合、ブロック１６０６で、ファンの速さは所定の速さ、例えば１００  ＲＰＭだけ上げられる。
【００５２】
温度が所定の温度より高くない場合、ブロック１６０８で、風速計速度が所定の速度、例えば１５０ｆｔ／分より大きいかどうかが判定される。風速計速度が所定の速度より大きい場合、ブロック１６１０で、ファンの速さは、所定の速さだけ、または別の所定の速さだけ下げられる。風速計速度が所定の速度より大きくない場合、プロセスはブロック１６０２に戻って風速計から温度を読み取る。
【００５３】
図１７は、本開示の実施形態による、流体速度および流体温度を測定するために使用される風速計モジュール１７００の分解図である。風速計モジュール１７００は、風速計ハウジング１７０２、風速計保持具１７０４、ハウジングナット保持具１７０６、風速計１７０８、および風速計ナット保持具１７１０を含む。風速計保持具１７０４は、ハウジングナット保持具１７０６で風速計ハウジング１７０２に固定される。風速計１７０８は、風速計１７０８の２つの測定窓が、風速計ハウジング１７０４の中央に位置し、図１８に示す流体の流れ方向１８１０に垂直であるように、風速計保持具１７０４中に挿入される。風速計１７０８は、風速計ナット保持具１７１０によって正しい場所に固定される。
【００５４】
図１８に示すように、図１７の風速計モジュール１７００は、コールドアイル１８０４からホットアイル１８０６を分離する封じ込めアセンブリ壁１８０２中のカットアウトに、風速計ハウジング１７０２のハニカム側が封じ込めアセンブリ壁１８０２と同一平面になるように、設置される。ハニカム設計は、流体の流れを整えるのを助けて乱流を低減し、それにより風速計の正確度を上げる。
【００５５】
熱交換器中の液体（例えば、グリコールおよび水）の流れは、所望の空気吐き出し温度を維持するように調節されてよい。２つ以上のモジュールが使用される機械的冗長性の他に、システム全体は、任意の好適な通信ネットワークを経由した制御のためのネットワーク冗長性を採用する。
【００５６】
その内容全体が参照により全体として組み込まれる、２０１７年８月２８日に出願された“Ｃｏｏｌｉｎｇ  Ｓｙｓｔｅｍｓ  ａｎｄ  Ｍｅｔｈｏｄｓ  Ｕｓｉｎｇ  Ｓｉｎｇｌｅ−Ｐｈａｓｅ  Ｆｌｕｉｄ  ａｎｄ  ａ  Ｆｌａｔ  Ｔｕｂｅ  Ｈｅａｔ  Ｅｘｃｈａｎｇｅｒ  ｗｉｔｈ  Ｃｏｕｎｔｅｒ−Ｆｌｏｗ  Ｃｉｒｃｕｉｔｉｎｇ”と題された国際出願第ＰＣＴ／ＵＳ２０１７／０４８９６９号に開示されている熱交換器の実施形態を含む、任意の好適な熱交換器設計が、本開示の実施形態で使用されてよい。
【００５７】
その内容全体が参照により本明細書に組み込まれる、“Ｃｏｏｌｉｎｇ  Ｓｙｓｔｅｍｓ  ａｎｄ  Ｍｅｔｈｏｄｓ  Ｕｓｉｎｇ  Ｓｉｎｇｌｅ−Ｐｈａｓｅ  Ｆｌｕｉｄ”と題された米国特許出願第１５／６９７４４５号に開示されている流体冷却器（ｃｏｏｌｅｒ）／冷却器（ｃｈｉｌｌｅｒ）の実施形態を含む、液体などの任意の好適な流体を熱交換器に提供する任意の好適な流体冷却器（ｃｏｏｌｅｒ）／冷却器（ｃｈｉｌｌｅｒ）が、本開示の実施形態によるファンおよび熱交換器アセンブリの熱交換器で使用されてよい。しかしながら、水または水／グリコール混合物などの任意の好適な液体が、使用されてよい。
【００５８】
本開示の実施形態が添付図面を参照して説明されたが、様々な変更および修正が当業者に明らかになることに留意すべきである。そのような変更および修正は、添付の特許請求の範囲によって定義されるような本開示の範囲内に含まれるものとして理解されるべきである。
【図１】
2020527800.tif 000004
【図２】
2020527800.tif 000005
【図３】
2020527800.tif 000006
【図４】
2020527800.tif 000007
【図５】
2020527800.tif 000008
【図６】
2020527800.tif 000009
【図７】
2020527800.tif 000010
【図８】
2020527800.tif 000011
【図９】
2020527800.tif 000012
【図１０】
2020527800.tif 000013
【図１１】
2020527800.tif 000014
【図１２】
2020527800.tif 000015
【図１３】
2020527800.tif 000016
【図１４】
2020527800.tif 000017
【図１５】
2020527800.tif 000018
【図１６】
2020527800.tif 000019
【図１７】
2020527800.tif 000020
【図１８】
2020527800.tif 000021
【国際調査報告】
2020527800.tif 000022
2020527800.tif 000023
2020527800.tif 000024